(57)【要約】【課題】  この考案は、歩行することにより、自然に膝が軽く内側へ押され、Ｏ脚を矯正する健康履物のための底板または中敷を提供することを目的とする。【解決手段】  履物の底板２または中敷の、小指の付け根部分が当接する部分、またはその側方の外側上縁のいずれかの点１２を中心として、足先方向および親指、土踏まず、および踵が対応する部分の縁方向に下降傾斜する傾斜面１３を形成する。  傾斜面１３は、足先側、親指側、土踏まず側および踵側の縁まで達してもよい。  また、傾斜面は、足先側、親指側、土踏まず側および踵側の縁まで達せずに、前記それぞれの縁部を平坦部１４としてもよい。【選択図】  図１
0003124942.tif 000002
【実用新案登録請求の範囲】
【請求項１】
小指の骨に続く中足骨の先端を中心として１．５〜２．０ｃｍの幅部分が当接する部分、
または、前記部分内のいずれかの位置の点、
または、前記部分に対向する長さの外側上縁、
または、前記部分に対応する長さ以内の長さの外側上縁、
または、前記部分に対応する長さの外側上縁のいずれかの位置の点、
のいずれかを中心として、足先方向および親指、土踏まず、および踵が対応する部分の縁方向に下降傾斜して傾斜面を形成してなる、履物の底板または中敷。
【請求項２】
傾斜面が、足先側、親指側、土踏まず側および踵側の縁まで達することを特徴とする、請求項１に記載の履物の底板または中敷。
【請求項３】
傾斜面が、足先側、親指側、土踏まず側および踵側の縁まで達せずに、前記それぞれの縁部が平坦であることを特徴とする、請求項１に記載の履物の底板または中敷。
【考案の詳細な説明】
【技術分野】
【０００１】
この考案は、歩行することにより、自然に膝が軽く内側へ押され、Ｏ脚を矯正する健康履物の底板または中敷に関するものである。
【背景技術】
【０００２】
従来、歩行によりＯ脚を矯正する健康履物としては、特許文献１に示すとおり、底板のいずれの部分においても、爪先から踵まで外側が厚く、内側が薄い履物がある。これは底板の全長にわたって縁部のみを外周縁から内周縁に向かって順次肉薄にしたものである。      
【特許文献１】実開  平６−９５０７（実用新案登録請求の範囲、０００４、図１、図２）
【考案の開示】
【考案が解決しようとする課題】
【０００３】
歩行に際しては、先ず足裏の踵部分が接地し、続いて順次、土踏まずの側方、小指の側方と親指の付け根を結ぶ線の部分、親指の先が接地し、最後に足裏が地面から離れる運動が繰り返される。上記接地の際に足裏が上記部分に対応する底板の部分を押す。
上記従来の外側の全長が厚い履物では、歩行中常に足の内側に体重がかかり、膝、腰、くるぶしを内側へ強く押し、それらに大きな負担となり、長時間の歩行が繰り返されると、前記体の部分に炎症を起こす恐れがある。
【０００４】
この考案は、歩行により、小指の付け根部分が接地するときだけ膝を内方向に軽く押してＯ脚の矯正し、膝、腰、くるぶし等に負担を強いることのない健康履物を提供することを目的とする。
【課題を解決するための手段】
【０００５】
履物の底板または中敷の、小指の骨に続く中足骨の先端を中心として１．５〜２．０ｃｍの幅部分（本願において小指の付け根部分と言う）が当接する部分、
または、前記部分内のいずれかの位置の点、
または、前記部分に対向する長さの外側上縁、
または、前記部分に対応する長さ以内の長さの外側上縁、
または、前記部分に対応する長さの外側上縁のいずれかの位置の点、
のいずれかを中心として、足先方向および親指、土踏まず、および踵が対応する部分の縁方向に下降傾斜して傾斜面を形成する。
傾斜面は、足先側、親指側、土踏まず側および踵側の縁まで達してもよい。
また、傾斜面は、足先側、親指側、土踏まず側および踵側の縁まで達せずに、前記それぞれの縁部を平坦としてもよい。
【考案の効果】
【０００６】
この考案に係る底板または中敷は、小指の付け根部分またはその側方が厚く、そこを中心として下降傾斜しているので、この底板または中敷を使用した履物を着用して歩行すると、底が踵部から順次肉厚部へ接地すると、足裏が次第に内方向に傾き、それにより膝が次第に内方向に押される。底の接地が肉厚部を過ぎると、足裏の傾きが次第に元に戻り、それにより膝が元の方向に戻り、底が地面から離れる。歩行の継続により、この運動が繰り返される。
上記の運動において、膝は底の接地が肉厚部に至るまで次第に内側へ押されて行き、底の接地が肉厚部を過ぎると、膝は次第に元の状態へ戻るので、膝が急激に押されることなく、従って、膝、腰、くるぶし等にあまり負担をかけることなく、Ｏ脚の矯正に役立つ。
【考案を実施するための最良の形態】
【０００７】
図７に左足の骨格を図示している。小指の指骨は、先端から符号３、４、５の３個の指骨よりなり、指骨５と踵の骨７との間に中足指６がある。
図１は左足用のサンダルの左側面図、図２は正面図、図３は底板の平面図、図４はＡ−Ａ断面図である。
サンダル１の底板２は、左側面、すなわち外側の、着用時に小指の付け根部分が当接する部分に対向する外側側方縁部１１のいずれかの点１２が他の縁部よりも肉厚で、点１２から他の縁部方向、すなわち、爪先、土踏まず、踵が対応する方向に向かって順次厚みが薄くなって下降する傾斜部１３を形成し、親指、土踏まずおよび踵に対応する部分は平坦部１４で肉薄である。爪先方向、内側縁部方向、踵方向の厚みは殆ど同じである。
図３は、底板２の平面図である。傾斜面１３は、点１２より矢印方向に下降傾斜した傾斜面である。
図１、２および４で判るように、底板２は、点１２の所が一番肉厚で、傾斜面１３のあるところは、下降傾斜するに従って順次肉薄となり、平坦部１４が一番肉薄である。
【０００８】
図５は、他の実施の形態の底板１６を使用した左足用のサンダル１５の左側面図であり、図６はその底板１６の底面図である。
底板１６の上面で、小指の付け根が当接する部分に対向する外側側縁のいずれかの点１２の所が肉厚で、図６で示すように、その点１２を中心として、矢印方向、すなわち、足先、親指、土踏まずおよび踵の当接する部分の縁に至るまで下降傾斜して傾斜面１７を形成する。
【０００９】
底板１および１６の点１２の所は、アールを設けてと尖らないようにするのが好ましい。
【００１０】
上記いずれの実施例においても、底板は外側側縁の点１２のところを肉厚としたが、小指の付け根が当接する部分のいずれかの位置の点の所を肉厚にしてもよい。
更にまた、点ではなくして、小指の付け根が当接する部分を肉厚にしてもよい。この場合には、小指の付け根が当接する部分が小さい頂面を形成する。
また、肉厚の所は点ではなくして、小指の付け根部分に対向する外側上縁の長さ、またはその長さ内の短い長さの所を肉厚としてもよい。この場合には、肉厚部は短い線の稜線を形成する。
【００１１】
右足用のサンダルは、上記左足用のサンダルと対称の形状である。
【００１２】
この考案に係る底板を使用した履物は、サンダルに限定せず、靴、草履を含み、また、この考案の底板の代わりに、この考案の構成を中敷に実施してその中敷を用いた履物を含むものとする。
【００１３】
一般に、歩行の際には、先ず踵が接地し、つづいて中間部が接地して踵が地面から離れ、爪先方向へ接地し、次に爪先も地面から離れ、続いて上記の運動を繰り返す。
【００１４】
この考案に係る底板または中敷を使用した履物を着用して歩行すると、踵部から足先部方向へ順次接地する間に、傾斜面１３、１７の下方から次第に肉厚の部分へ接地部分が移行するに従って、足裏は土踏まず方向へ傾き、肉厚部に達したときに、足裏の傾斜が最も大きく、点１２の肉厚部を過ぎると、足裏の傾きが次第に緩やかになって行き、足先部が地面から離れるときには普通の状態に戻る。
上記の足裏の傾きに従って、肉厚部に至るまでは、膝が次第に内方向に押され、肉厚部を過ぎてからは、膝は次第に外方向に戻されて行き、足先部が地面から離れるときには普通の状態に戻る。
上記のとおり、足裏の傾きが緩やかに大きくなって行き、そして緩やかに元に戻って行くので、膝の内方向への押しと元への戻りも緩やかに行われれる。
歩行の継続によりこの運動が繰り返されて、膝の内方向への押しも繰り返されるので、Ｏ脚の矯正になる。
【００１５】
上記の膝の内方向への押しは、歩行時に底板または中敷の小指と親指の付け根とその間の部分が接地するときだけであり、しかも、上記のとおり膝の内方向への押しと元への戻りが緩やかに行われるので、腰やくるぶしには殆ど影響なく、膝への作用も強くなく、膝への負担も小さい。
【図面の簡単な説明】
【００１６】
【図１】左足用のサンダルの左側面図である。
【図２】左足用のサンダルの正面図である。
【図３】底板の平面図である。
【図４】Ａ−Ａ断面図である。
【図５】他の実施の形態の左足用のサンダルの左側面図である。
【図６】他の実施の形態の底板の平面図である。
【図７】足の骨と底板との関係の説明図である。
【符号の説明】
【００１７】
１  サンダル
２  底板
３、４、５  小指の指骨
６  中足骨
７  踵骨
８、９  親指骨
１０  中足骨
１１  側方上縁
１２  点
１３  傾斜面
１４  平坦部
１５  サンダル
１６  底板
１７  傾斜面
【図１】
0003124942.tif 000003
【図２】
0003124942.tif 000004
【図３】
0003124942.tif 000005
【図４】
0003124942.tif 000006
【図５】
0003124942.tif 000007
【図６】
0003124942.tif 000008
【図７】
0003124942.tif 000009